(57)【要約】【課題】  真夏の日中での労働には辛いものがある。特に農業に於ける野良仕事は雨の日は作業が出来ないし、真夏の炎天下では其処にいるだけで汗がにじむほど辛い。特に我が国は湿度が高い上に山間部の盆地などでは風さえ生暖かい。特に女性にとっては日焼けは大敵である。【解決手段】  上記目的を達成する手段としてランドセルのように骨組みだけの背負い枠を両肩から背負い、該背負い枠をカバーするが如く帽子と一体型の寒冷紗的素材でできた日除けマント帽を羽織ることによって炎天下の作業でも快適に過ごす事が出来る。【選択図】図１
2014009433.tif 000002
【特許請求の範囲】
【請求項１】
防水加工済みの日除け帽子後部フチ部分に、使用者本人全体を覆うことの出来る防水且つ風通しの良いマントが接続され、該マント付一体型帽子のマント部分と人体間にはマント付一体型帽子全体を背負い且つ安定的に作業が可能であり該日除けマントと人体間は３０ｍｍ以上の間隙を持つ背負い枠が装備された日除けマント一体型帽子。
【請求項２】
電池若しくは太陽光発電を電源とする扇風機を取り付けた請求項１に記載の背負い枠が装備された日除けマント一体型帽子。
【発明の詳細な説明】
【技術分野】
【０００１】屋外作業といえば土木工事や造園業など様々であるが中でも昔から代表的な農作業は健康面から見た場合、生産をしながら全身を動かし大自然と触れ合う事の出来る過去からの良き生産的作業状態であるが作業環境が大自然の中だけに様々な長所もあれば自然の厳しさによる弊害もある。本発明はこれ等の屋外作業に関する利便性技術を提供する。
【背景技術】
【０００２】戦後高度成長した我が国において、大学や高校の卒業生はこぞって都会に向かい安定型の大企業就職を切望した。確かに我が国の経済界は世界の発展とともに急成長し都会では人が集まれば交通もそれに伴う自動車も生活の為の住宅も全ての関連産業は発展してきた。しかしこれ等産業に従事する人々の誰もが欠かすことの出来ないものが食糧である。エンゲル係数は文明国ほどその数値は低いと言う。最近ではこの数値は極端に低いはずである。しかし産業界の発展とともにあらゆる生産は人件費の安い中国など海外に異動し一時期、我が国のあらゆる製造業は海外に殺到した。しかしいつの間にか技術も標準化し後進国でも機械さえあれば誰でも生産が可能となり今再び国内ユーターン現象が起っている。【０００３】しかし現在の装置産業による大量生産の世界と違って人類が生存する為には欠かすことの出来ないものが食糧即ち農業である。最近の農業も技術革新により機械化も進み、過っての汗にまみれたイメージも無くなり学卒もやっと我が国の農業の面白さ気付いてきた。又都会においてもサラリーマンの土日休日も増し充実した日々を求める人々が増えてきた。同時に都会でも賃貸し農園がふえ土に触れる楽しさと真の人間性を享受するゆとり社会が少しずつではあるが増加しているようである。【０００４】又主力生産の海外移転とともにの国際競争力をつけるための生産コストは下がり１９９０年代から今日にかけて生産に反比例して単価は下がり全体のパイは変わらず、政治はゲーム化しデフレは長期に亘り新卒の採用さえ過去の習慣がなくなりバブル時代の高度成長は過去の夢と化し、人々は追い求める事から、身の丈サイズの幸せが真の幸せである事に気付き人々はやっと心のゆとりの必要性を求め始めた。同時に男女平等社会は何時の間にか強い女性を育て女性の社会進出も進み最近ではまさしく男女平等が平準化してきた。海外並みにレディファースト化も行き亘り市場もファッションもそして娯楽も今や我が国は世界レベルとなり先進モデルとしてきた米国並みに追いつき国民全体が目標を失いここに来てやっと身の回りを見回すゆとりさえ出てきたのであろう。【０００５】追いつけ追い越せと頑張ってきた団塊の世代も今日のように高齢化がすすむと不思議なもので人は必ず土に目を向けるようになる。全国的にも今や脱都会などと言って自ら田舎住まいや農業を試みる若い世代が次第に多くなってきた。これ等は男性に限った事でなく女性でも同様な傾向が見られる。ただ男性と違い女性の場合はプラスファッション性が必ず伴う事である。【０００６】よって本発明はほとんどの誰もが行きつく処というべき一度は触ってみたい土、いわゆる農業に関するもので、それも特に女性を中心として考えられたものである。よってファッション性は付き物であり特に外観は重要であり本発明は夏の炎天下で作業を想定した場合特に女性自ら作業中にわが身の必要性から気付きが起り必然的に生まれたものである。その詳細は通常の広フチの帽子に天合羽を取り付ける事によりとりあえず日除けが出来たところから改良に改良が進み、炎天下でも涼しく且つ軽量で快適に楽しく農作業が出来、簡易に装着可能なマント付一体型帽子という発明品が誕生したのである。先願を見ても例えば一例特許公開平９−５９８１７日除け帽子や、二例特許公開２００７−１６３２５７日除け帽子などがあるが、いずれも顔面や頭部を炎天下の暑さや埃から保護するものであり、本発明とは思想を根本的に異にするものである。【０００５】
【特許文献１】特許公開平９−５９８１７日除け帽子
【特許文献２】特許公開２００７−１６３２５７日除け帽子
【発明の開示】
【発明が解決しようとする課題】
【０００６】真夏の炎天下の暑さ防止には、如何しても先ずは五感での判断が先行する為、頭部や顔面に日除け手段の主眼を置く為太陽を背にする。特に女性の場合、日焼けは最も気にするところである。よって太陽に背を向ける為、直射日光を最も浴びる背中はたちまち汗びっしょりである。これ等は人間の本能としての行動であるからして仕方がない事ではあるが炎天下の作業の場合の多くは結果として木陰や軒の下、或いは付近の建物や植物の陰に入り直射日光を避け且つ風通しの良い木陰に身を寄せる。これらの動作は当事者が必然性で起す行動であるが、本発明はあえて移動する事無く炎天下に居ながらにして且つその場で暑さを凌ぎ、涼しくすごせる手段を手軽く実現したものである。
【課題を解決するための手段】
【０００７】そこで本発明は上記目的を達成する手段として、従来型のフチ付日除け帽子を土台とし、使用者の後背部には特に風通しが良く且つ汗が発散し易いいように、背負い部分には木こりやマタギが使用した籐椅子のような素材の骨組みによる背負い枠を別部品として組み立て、その背負い枠の背負い部分及び作業者全体を包み込むカバーのような形状のマントで覆う事により、従来浴びていた背中の直射日光は確実にさえぎる事が出来、その上籐などの材質による骨組み枠を使った結果、肌触りも良く何よりも軽い為重量が全く負担にならない事も判明した。またマントの材質は寒冷紗や粗目の不織布など、雨に強く太陽光線にも強い材質が好ましい事も分った。尚材質は特にこれ等に限定するものでないし、形状も特別限定的なデザインを必要とする物ではない。木綿でも化繊でも要は涼しく耐久性があり洗濯も可能で軽ければ良い。帽子の形状は各自流行の好みのデザインを選べば良い。尚背負い枠を覆う日除けマントと人体とは出来れば１００〜１３０ｍｍの間隙を持つ背負い枠が理想的である。サイズは少し大きめのランドセルサイズが良い。【０００８】背負い枠の素材としては最近では竹細工による美的工芸品も多く産出されているがこれ等の材質は機能性もありこれら竹材等による作品も可能性は十分であり特に竹を特産とする産地にとって付加価値の高い作品として或いは地域興しの製品としても利用もが可能である。その詳細は素材を特に竹材に限定するものでは無い。帽子部分、マント部分、背負い枠部分これ等の素材が全て異なる為それぞれの地域の特産品を組み合わせて製作すれば地域連携の商品としても充分可能性があり地方の活性化にも役立つ。
【発明の効果】
【００１２】夏場における屋外での作業、特にお百姓さんなどは通常炎天下を避け、早朝から作業を開始する。しかしいつの間にか太陽が昇り仕事の途中暑いからと言って作業の中断はなかなか困難である。特に請け合い仕事や時間内作業の場合暑さを理由に勝手な行動は出来ない。そんな時本製品があれば手軽に羽織ることが可能である。特に本発明は折りたたみ自由であり折りたためば薄い小袋に畳込みが可能でありハンドバックや衣服のポケットにも仕舞込むことが可能である。又、我が国の地形は山が多い分、盆地も多い。よって梅雨時はもとより夏季は猛暑で蒸し暑い日が続くが本製品を肩に背負いオプションとしてのソーラー付の扇風機を背中で稼動させれば爽快な気分で快適な作業が可能となる。
【実施例１】
【００１５】本発明を図１で説明すると、図１は本発明品を背中に背負い草刈をしている野良仕事の現状図であるが帽子の上部にソーラーパネルを取り付ければ本発明品マント内側に取り付けた扇風機が作動しきつい作業も楽しく進めることが出来る。背中のマント素材は寒冷紗や化繊や不織布或いは木綿等でも構わないが、日除け効果があり且つ風通しの良い材質が良い。帽子の形状は問わないが当然日除けが出来て作業の邪魔にならない程度の鍔広が好ましい。
【産業上の利用可能性】
【００１６】又本装置は一体型を基本としているが、特に後付けが可能である為、市場に出回っている鍔広の帽子にも本装置の後付け化が可能でありデザイン如何では市場性も十分であり、マント部の色調も白色や黒色は勿論、自在にお好みのカラーが可能である。又最近雨降りに気が付くことは雨傘でも様々な色調がある。或いは機能性雨傘・日傘があるように本製品はアパレル業界はもとより雨傘・日傘業界でも取り組みが可能であり新商品として新市場を活性化する可能性は十分である。
【図面の簡単な説明】
【００１８】
【図１】図１は草刈作業に際し、まず背中に背負い枠をランドセルのように背負い、次に本発明の日除けマント帽を装着した状態である。
【図２】図２は背中に太陽を背負い正に炎天下の作業でも本発明品により快適に草刈或いは収穫の取り入れの作業中の状態図である。
【図３】図３は風通しが良く汗を発散する日除けマント帽装置一式の全体側面図である。
【図４】図４は本発明の日除けマント帽前面図である。
【図５】図５は本発明の背負い枠正面図である
【図６】本発明の日除けマント帽上面図である。
【図７】図７は本発明の日除けマント帽後背図である。
【符号の説明】
【００１８】１、本発明品の日除けマント帽の帽子部である。２、扇風機のソーラー電源である。３、本発明品を背中に安定的に背負う為の背負い枠である。４、本発明品の日除けマント帽のマント部である。５、扇風機（電池又はソーラー電源で作動）６、日除けマント帽の全体概要図である。７、背負い紐
【図１】
2014009433.tif 000003
【図２】
2014009433.tif 000004
【図３】
2014009433.tif 000005
【図４】
2014009433.tif 000006
【図５】
2014009433.tif 000007
【図６】
2014009433.tif 000008
【図７】
2014009433.tif 000009